(57)【要約】【課題】仕上げ材の位置ずれ及び損傷を抑制することができる建築用面材システムを提供する。【解決手段】建築用面材システム１００は、一方向に延び、互いに離間して配置される下地材２と、隣り合う下地材２にまたがって設置される架設材３と、架設材３における下地材２側と反対側の面３１ｕに取り付けられる仕上げ材４と、を備え、下地材２及び架設材３の少なくとも一方には、仕上げ材４の外縁４Ａ，４Ｂ，４Ｃ，４Ｄに沿って配置されるとともに、仕上げ材４の外縁４Ａ，４Ｂ，４Ｃ，４Ｄの端面と対向する方向に弾性変形可能な目地部２３，３２が設けられていることを特徴とする。【選択図】図２
2019011613.tif 000002
【特許請求の範囲】
【請求項１】
一方向に延び、互いに離間して配置される下地材と、
隣り合う前記下地材にまたがって設置される架設材と、
該架設材における前記下地材側と反対側の面に取り付けられる仕上げ材と、を備え、
前記下地材及び前記架設材の少なくとも一方には、前記仕上げ材の外縁に沿って配置されるとともに、前記仕上げ材の外縁の端面と対向する方向に弾性変形可能な目地部が設けられていることを特徴とする建築用面材システム。
【請求項２】
前記下地材には、係合部が設けられ、
前記架設材には、前記係合部に係合される被係合部が設けられていることを特徴とする請求項１に記載の建築用面材システム。
【請求項３】
前記仕上げ材は、正面視略矩形状に形成され、
前記目地部は、
前記下地材に設けられ、前記仕上げ材の第一の辺に沿って配置される第一目地部と、
前記架設材に設けられ、前記仕上げ材の前記第一の辺と直交する第二の辺に沿って配置される第二目地部と、を有することを特徴とする請求項１または２に記載の建築用面材システム。
【発明の詳細な説明】
【技術分野】
【０００１】
本発明は、建築用面材システムに関するものである。
【背景技術】
【０００２】
従来から、建築物の壁面や床面には、タイル等の仕上げ材が設置されることがある。例えば、建築物の躯体にビスで取り付けられた金属板と、金属板に接着剤で接着された仕上げ材と、を備えたものが提案されている（特許文献１参照）。
【先行技術文献】
【特許文献】
【０００３】
【特許文献１】特許第４０８９３７９号公報
【発明の概要】
【発明が解決しようとする課題】
【０００４】
しかしながら、上記の特許文献１において、仕上げ材が床面に設置されている場合には、仕上げ材を接着している接着剤の接着力が経年劣化等により低下していると、歩行時に仕上げ材を踏み込んだ際に、仕上げ材がずれてしまうことがある。また、ずれた仕上げ材が隣接する仕上げ材と接触して、仕上げ材の端部が欠けてしまうという問題点がある。
【０００５】
そこで、本発明は、上記事情に鑑みてなされたものであり、仕上げ材の位置ずれ及び損傷を抑制することができる建築用面材システムを提供する。
【課題を解決するための手段】
【０００６】
上記目的を達成するために、本発明は以下の手段を採用している。
すなわち、本発明に係る建築用面材システムは、一方向に延び、互いに離間して配置される下地材と、隣り合う前記下地材にまたがって設置される架設材と、該架設材における前記下地材側と反対側の面に取り付けられる仕上げ材と、を備え、前記下地材及び前記架設材の少なくとも一方には、前記仕上げ材の外縁に沿って配置されるとともに、前記仕上げ材の外縁の端面と対向する方向に弾性変形可能な目地部が設けられていることを特徴とする。
【０００７】
このように構成された建築用面材システムでは、仕上げ材が取り付けられた架設材が複数の下地材にまたがって設置されることで、仕上げ材が下地材に取り付けられる。仕上げ材の外縁には、目地部が設けられている。よって、仕上げ材が踏み込まれたりして仕上げ材に力が作用した際には、仕上げ材は外縁に設けられた目地部により位置ずれが抑制される。また、目地部が仕上げ材の外縁の端面と対向する方向に弾性変形して力を吸収するため、仕上げ材の損傷が抑制される。
【０００８】
また、本発明に係る建築用面材システムは、前記下地材には、係合部が設けられ、前記架設材には、前記係合部に係合される被係合部が設けられていることが好ましい。
【０００９】
このように構成された建築用面材システムでは、架設材の被係合部を下地材の係合部に係合させることで、架設材は下地材に係合される。よって、架設材を下地材に簡易な方法で取り付けることができる。
【００１０】
また、本発明に係る建築用面材システムは、前記仕上げ材は、正面視略矩形状に形成され、前記目地部は、前記下地材に設けられ、前記仕上げ材の第一の辺に沿って配置される第一目地部と、前記架設材に設けられ、前記仕上げ材の前記第一の辺と直交する第二の辺に沿って配置される第二目地部と、を有していてもよい。
【００１１】
このように構成された建築用面材システムでは、下地材を仕上げ材の第一の辺及び第一の辺と対向する第三の辺に沿って配置すると、仕上げ材の第一の辺及び第三の辺に沿って第一目地部が配置される。一の架設材上に仕上げ材を設置して、一の架設材と隣接して他の架設材を設置すると、仕上げ材の第二の辺及び第二の辺と対向する第四の辺に沿って第二目地部が配置される。よって、第一目地部及び第二目地部をタイルの外縁に沿って、容易に設けることができる。
【発明の効果】
【００１２】
本発明に係る建築用面材システムによれば、仕上げ材の位置ずれ及び損傷を抑制することができる。
【図面の簡単な説明】
【００１３】
【図１】本発明の一実施形態に係る建築用面材システムを示す斜視図である。
【図２】本発明の一実施形態に係る建築用面材システムを示す分解斜視図である。
【図３】本発明の一実施形態に係る建築用面材システムの仕上げ材を架設材から取り外した分解斜視図である。
【図４】図２のＡ部拡大図である。
【図５】本発明の一実施形態の変形例１に係る建築用面材システムの架設材の斜視図である。
【図６】本発明の一実施形態の変形例２に係る建築用面材システムの架設材を下地材から取り外した斜視図である。
【図７】本発明の一実施形態の変形例３に係る建築用面材システムの目地部を示す斜視図である。
【図８】本発明の一実施形態の変形例４に係る建築用面材システムの目地部を示す斜視図である。
【図９】本発明の一実施形態の変形例５に係る建築用面材システムの目地部を示す斜視図である。
【図１０】本発明の一実施形態の変形例６に係る建築用面材システムの目地部を示す斜視図である。
【発明を実施するための形態】
【００１４】
本発明の一実施形態に係る建築用面材システムについて、図面に基づいて説明する。
本実施形態に係る建築用面材システムの一例である床システムは、バルコニー等の床面上に設置されるものである。
図１は、本発明の一実施形態に係る建築用面材システムを示す斜視図である。図２は、本発明の一実施形態に係る建築用面材システムを示す分解斜視図である。
図１及び図２に示すように、床システム１００は、大引き１と、根太（下地材）２と、支持板（架設材）３と、タイル（仕上げ材）４と、を備えている。
【００１５】
大引き１は、土台等の躯体に支持され、床面に沿う一方向に沿って延びている。複数の大引き１は、平行配置されている。大引き１は、例えば角管により構成されていてもよい。
【００１６】
根太２は、隣り合う大引き１の間に架設されている。複数の根太２は、それぞれ大引き１の延在方向と直交する方向に延び、互いに平行配置されている。根太２は、大引き１にボルト、ナット等（不図示）により固定されている。根太２は、例えば角管により構成されていてもよい。
【００１７】
根太２の上面２ｕには、長目地材２０が設けられている。長目地材２０は、固定板部２１と、係合板部（係合部）２２と、長目地部（目地部、第一目地部）２３と、を有している。固定板部２１、係合板部２２及び長目地部２３は、根太２の延在方向にわたって設けられている。
【００１８】
固定板部２１は、根太２の上面２ｕに固定されている。係合板部２２は、固定板部２１の幅方向（根太２の延在方向に直交する水平方向）の両端部からそれぞれ下方に屈曲されている。
【００１９】
長目地部２３は、固定板部２１の幅方向の略中央から上方に立設されている。長目地部２３は、板状をなし、厚み方向を固定板部２１の幅方向に沿って配置されている。
【００２０】
図３は、タイル４を支持板３から取り外した分解斜視図である。
図２及び図３に示すように、支持板３は、隣り合う根太２の間に架設されている。支持板３は、板部３１と、短目地部（目地部、第二目地部）３２と、係合爪部（被係合部）３３を有している。支持板３は、例えば金属材料により形成されている。
【００２１】
板部３１は、平面視略矩形状に形成されている。短目地部３２は、板部３１における一辺（長目地部２３の延在方向と直交する方向に延びる辺）３１Ａから上方に立設されている。短目地部３２は、板状をなし、厚み方向を根太２の延在方向に沿って配置されている。
【００２２】
図４は、図２のＡ部拡大図である。
図３及び図４に示すように、係合爪部３３は、板部３１における対向する２辺（長目地部２３の延在方向に延びる辺）３１Ｂ，３１Ｃにおいて、両端部から下方に屈曲されている。係合爪部３３の下端には、外向き（対向する辺側と反対側）に折曲された上向き片部３４が設けられている。係合爪部３３の上向き片部３４は、根太２に設けられた長目地材２０の係合板部２２に係合されている。
【００２３】
図２及び図３に示すように、タイル４は、支持板３の板部３１の上面３１ｕに接着剤等により取り付けられている。タイル４は、平面視矩形状に形成されている。タイル４の四辺には、面取り４１が設けられている。面取り４１は、平面視内側から外側に向かうにしたがって、次第に下方に向かって傾斜している。なお、仕上げ材として、タイル４の他、木材、樹脂や金属等の材料により形成されたものであってもよい。
【００２４】
タイル４の対向する２辺（第一の辺、第三の辺）４Ａ，４Ｂに沿って、両側の根太２に設けられた長目地部２３が配置されている。タイル４の辺（第二の辺）４Ｃに沿って、タイル４が設置された支持板３の短目地部３２が配置されている。タイル４の辺４Ｄに沿って、隣接するタイル４が設置された支持板３の短目地部３２が配置されている。
【００２５】
図４に示すように、長目地部２３は、長目地部２３の一方側に隣接するタイル４の端面４ｆと当接するとともに、長目地部２３の他方側に隣接するタイル４の端面４ｇと当接している。短目地部３２は、短目地部３２の一方側に隣接するタイル４の端面４ｈと当接するとともに、短目地部３２の他方側に隣接するタイル４の端面４ｉと当接している。タイル４と長目地部２３及び短目地部３２との間には、隙間が形成されていない。本実施形態では、長目地部２３及び短目地部３２の高さは、タイル４の面取り４１の下端４１ｂの高さと略同一である。
【００２６】
長目地部２３は、タイル４の辺４Ａ，４Ｂの端面４ｆ，４ｇと対向する方向（長目地部２３の厚み方向）に弾性変形可能である。短目地部３２は、タイル４の辺４Ｃ，４Ｄの端面４ｈ，４ｉと対向する方向（短目地部３２の厚み方向）に弾性変形可能である。長目地部２３及び短目地部３２は、例えば弾性変形可能な樹脂で形成されている。
【００２７】
次に、上記の床システム１００の施工方法を説明する。
まず、土台等躯体に、複数の大引き１を互いに離間して取り付ける。隣り合う大引き１にまたがるように、長目地材２０が設けられた根太２を取り付ける。複数の根太２を、互いに離間して配置する。
【００２８】
隣り合う根太２の間に、支持板３を配置する。支持板３は、短目地部３２を根太２に設けられた長目地部２３の延在方向に直交させる向きで配置する。支持板３の係合爪部３３を長目地材２０の係合板部２２に係合させて、支持板３を根太２に設置する。
【００２９】
タイル４の下面または支持板３の上面３１ｕに接着剤を塗布して、タイル４を支持板３に接着する。タイル４の辺４Ａ，４Ｂに沿って長目地部２３が配置され、辺４Ｃに沿って短目地部３２が配置される。
【００３０】
次に、タイル４の辺４Ｄ側に支持板３を設置し、支持板３にタイル４を接着する。これにより、タイル４の辺４Ｄに沿って、短目地部３２が配置される。
なお、上記のように、支持板３の設置及びタイル４の接着を繰り返し行ってもよいし、根太２間に支持板３を全て設置した後に順次支持板３にタイル４を接着していく手順でもよい。
【００３１】
このように構成された床システム１００では、タイル４が取り付けられた支持板３が複数の根太２にまたがって設置されることで、タイル４が根太２に取り付けられる。タイル４の辺４Ａ，４Ｂには長目地部２３が設けられるとともに、辺４Ｃ，４Ｄには短目地部３２が設けられている。よって、タイル４が踏み込まれたりしてタイル４に力が作用した際には、端面４ｆ，４ｇ，４ｈ，４ｉと当接して設けられた長目地部２３及び短目地部３２により、タイル４は位置ずれが抑制される。また、長目地部２３及び短目地部３２がタイル４の端面４ｆ，４ｇ，４ｈ，４ｉと対向する方向に弾性変形して力を吸収するため、タイル４の損傷が抑制される。
【００３２】
また、支持板３の係合爪部３３を根太２の係合板部２２に係合させることで、支持板３は根太２に係合される。よって、支持板３を根太２に簡易な方法で取り付けることができる。
【００３３】
また、根太２をタイル４の辺４Ａ，４Ｂに沿って配置すると、タイル４の辺４Ａ，４Ｂに沿って長目地部２３が配置される。一の支持板３上にタイル４を設置して、一の支持板３と隣接して他の支持板３を設置すると、タイル４の辺４Ｃ，４Ｄに沿って短目地部３２が配置される。よって、長目地部２３及び短目地部３２をタイル４の辺４Ａ，４Ｂ，４Ｃ，４Ｄに沿って、容易に設けることができる。
【００３４】
長目地部２３及び短目地部３２はそれぞれ根太２及び支持板３に予め設けられているため、施工現場でタイル目地材を設けるよりも、施工性が良く、熟練工でなくても作業がしやすい。
【００３５】
また、タイル４と長目地部２３及び短目地部３２との間には隙間が形成されていないため、ゴミや埃等がタイル４と長目地部２３及び短目地部３２との間に入り込まず、美観が良い。
【００３６】
タイル４及びタイル４が接着された支持板３を根太２から取り外して、新たな支持板３にタイル４を接着して、支持板３を根太２に係合すれば、タイル４の交換を容易に行うことができる。
【００３７】
次に、上記に示す実施形態の変形例について説明する。
以下の変形例において、前述した実施形態で用いた部材と同一の部材には同一の符号を付して、その説明を省略する。
【００３８】
（変形例１）
上記に示す実施形態の変形例１について、主に図５を用いて説明する。
図５は、発明の一実施形態の変形例１に係る建築用面材システムの架設材の斜視図である。
図５に示すように、本変形例では、根太２には長目地部２３が設けられておらず、支持板３の辺３１Ａ，３１Ｂに沿って短目地部３２が設けられている。この構成では、根太２に支持板３を設置することで、タイル４の直交する２辺４Ｂ，４Ｃに沿って短目地部３２が設けられる。根太２の離間方向に沿って、一の支持板３の隣に他の支持板３を設置すれば、他の支持板３の短目地部３２がタイル４の辺４Ａに沿って設けられる。さらに、根太２の延在方向に沿って、一の支持板３の隣に他の支持板３を設置すれば、他の支持板３の短目地部３２がタイル４の辺４Ｄに沿って設けられる。このようにして、タイル４の辺４Ａ，４Ｂ，４Ｃ，４Ｄに沿って、短目地部３２が設けられる。
【００３９】
（変形例２）
上記に示す実施形態の変形例２について、主に図６を用いて説明する。
図６は、本発明の一実施形態の変形例２に係る建築用面材システムの架設材を下地材から取り外した斜視図である。
図６に示すように、本変形例では、支持板３の係合爪部３３の下端には、内向き（対向する辺側）に折曲された上向き片部３５が設けられている。
【００４０】
根太２は、底壁部２６と、底壁部の幅方向（根太２の離間方向）の両端部からそれぞれ立設された側壁部２７と、側壁部２７の上端部から対向する側壁部２７側に折曲された係合壁部２８と、係合壁部２８の幅方向の中央から立設された長目地部２９と、を有している。長目地部２９の側面と係合壁部２８の先端との間には、隙間Ｓ１が形成されている。
【００４１】
支持板３の係合爪部３３は、長目地部２３の側面と係合壁部２８の先端との間の隙間Ｓ１に挿入され、係合壁部２８の下面に係合されている。
【００４２】
（変形例３〜変形例６）
上記に示す実施形態の変形例３〜変形例６について、主に図７〜図１０を用いて説明する。
図７〜図１０は、本発明の一実施形態の変形例３〜６に係る床システムにおいて、支持板に設けられる短目地部を示した斜視図である。
短目地部３２の形状は適宜設定可能であり、例えば、図７に示すように、短目地部３２Ａは、内部に空間Ｔ１が形成された円筒状をなしていてもよい。短目地部３２Ａは、支持板３の辺３１Ａに沿って配置されている。また、図８に示すように、短目地部３２Ｂは、支持板３の辺３１Ａに沿って配置された支持壁部３６と、支持壁部３６の両端部からそれぞれ立設された立設壁部３７と、立設壁部３７の上端どうしを上方に膨らむ円弧状に連結する曲面部３８と、を有していてもよい。これら支持壁部３６、立設壁部３７及び曲面部３８により囲まれ、支持壁部３６の辺３１Ａに沿って延びる空間Ｔ２が形成されている。また、図９に示すように、短目地部３２Ｃは、内部に空間Ｔ３が形成された角筒状をなしていてもよい。短目地部３２Ｃは、支持板３の辺３１Ａに沿って配置されている。また、図１０に示すように、短目地部３２Ｄは、支持板３の辺３１Ａから立設された上向き壁部３９と、上向き壁部３９の上端に設けられた曲面部４０と、を有していてもよい。曲面部４０は、上方に膨らむ形状をなしている。上向き壁部３９の両側には、曲面部４０との間に空間Ｔ３が形成されている。
【００４３】
これら構成では、タイル４（図１参照。以下同じ。）が踏み込まれたりしてタイル４に力が作用した際には、タイル４は外縁に設けられた短目地部３２において、タイル４の外縁の端面と対向する方向に空間がつぶれて弾性変形して力を吸収するため、タイル４の損傷が抑制される。
【００４４】
なお、上述した実施の形態において示した各構成部材の諸形状や組み合わせ等は一例であって、本発明の主旨から逸脱しない範囲において設計要求等に基づき種々変更可能である。
【００４５】
例えば、根太２の長目地材２０の固定板部２１には、根太２の延在方向に沿う目盛りが設けて、タイル４を千鳥状に設置してもよい。
【００４６】
また、根太２の下方及び隣り合う根太２間に、断熱材を設置してもよい。これにより、床システム１００の断熱性が向上する。
【００４７】
また、複数の大引き１において隣接方向の一方側から他方側に向かうにしたがって大引き１の高さが順次低くなるようにしたり、大引き１の延在方向の一端側から他端側に向かうにしたがって高さが次第に低くなるように形成したりしてもよい。これにより、３次元的な水勾配を形成することができる。
【００４８】
また、上記に示す実施形態では、建築用面材システムの仕上げ材として床材を例に挙げて説明したが、本発明はこれに限られない。壁面に沿って設置される壁材であってもよい。
【００４９】
また、上記に示す実施形態では、下地材及び架設材の両方に目地部が設けられているが、本発明はこれに限られない。下地材及び架設材のすくなくとも一方に目地部が設けられていればよい。
【符号の説明】
【００５０】
１…大引き  ２…根太（下地材）  ３…支持板（架設材）  ４…タイル（仕上げ材）  ２０…長目地材  ２１…固定板部  ２２…係合板部（係合部）  ２３…長目地部（目地部、第一目地部）  ３１…板部  ３２…短目地部（目地部、第二目地部）  ３３…係合爪部（被係合部）  ３４…上向き片部  ４１…面取り  １００…床システム
【図１】
2019011613.tif 000003
【図２】
2019011613.tif 000004
【図３】
2019011613.tif 000005
【図４】
2019011613.tif 000006
【図５】
2019011613.tif 000007
【図６】
2019011613.tif 000008
【図７】
2019011613.tif 000009
【図８】
2019011613.tif 000010
【図９】
2019011613.tif 000011
【図１０】
2019011613.tif 000012